(57)【要約】【課題】多彩な印字モードに対応でき、それぞれの印字モードで高速に印字することができる液体吐出ユニット、液体吐出装置及び印刷方法を提供する。【解決手段】画像形成用のプロセスカラーの液体を吐出するノズル孔を主走査方向に直交する副走査方向に複数配列したノズル列を有する第１ノズル群２０ａと、前記第１ノズル群２０ａに対して副走査方向上流側および下流側に設けられるとともに、前記第１ノズル群２０ａとはそれぞれ互いに主走査方向に位置をずらして配置され、プロセスカラーとは異なる色の液体を吐出するノズル孔を副走査方向に複数配列したノズル列を有する第２ノズル群２０ｂ及び第３ノズル群２０ｃと、を備える。【選択図】図３
2017105194.tif 000002
【特許請求の範囲】
【請求項１】
画像形成用のプロセスカラーの液体を吐出するノズル孔を主走査方向に直交する副走査方向に複数配列したノズル列を有する第１ノズル群と、
前記第１ノズル群に対して副走査方向上流側および下流側に設けられるとともに、前記第１ノズル群とはそれぞれ互いに主走査方向に位置をずらして配置され、プロセスカラーとは異なる色の液体を吐出するノズル孔を副走査方向に複数配列したノズル列を有する第２ノズル群及び第３ノズル群と、
を備えることを特徴とする液体吐出ユニット。
【請求項２】
前記第１ノズル群と前記第２ノズル群と前記第３ノズル群とは、ノズル列数およびノズル数が同一である、
ことを特徴とする請求項１に記載の液体吐出ユニット。
【請求項３】
前記第１ノズル群と前記第２ノズル群と前記第３ノズル群とは、一体に搭載される、
ことを特徴とする請求項１または２に記載の液体吐出ユニット。
【請求項４】
前記第１ノズル群は、前記プロセスカラーの液体として、ブラック、イエロー、マゼンタ、シアンの各色のインクを、それぞれ吐出するノズル列を有しており、
前記第２ノズル群及び前記第３ノズル群は、前記液体として、前記プロセスカラーとは異なる色の補助用インクを、吐出するノズル列を有している、
ことを特徴とする請求項１ないし３の何れか一項に記載の液体吐出ユニット。
【請求項５】
前記第２ノズル群及び前記第３ノズル群は、前記プロセスカラーとは異なる色の前記補助用インクと画像形成用の特色のインクとを、それぞれ吐出するノズル列を有している、
ことを特徴とする請求項４に記載の液体吐出ユニット。
【請求項６】
前記液体は、水、有機溶剤、色材、樹脂粒子及びシロキサン化合物を有する、
ことを特徴とする請求項１ないし５の何れか一項に記載の液体吐出ユニット。
【請求項７】
前記樹脂粒子は、ポリウレタン樹脂粒子 である、
ことを特徴とする請求項６に記載の液体吐出ユニット。
【請求項８】
前記ポリウレタン樹脂粒子は、ポリカーボネート系ウレタン樹脂粒子又はポリエステル系ウレタン樹脂粒子である、
ことを特徴とする請求項７に記載の液体吐出ユニット。
【請求項９】
前記有機溶剤は、下記一般式（１）で表される化合物を含む、
【化１】
2017105194.tif 000008
ことを特徴とする請求項６ないし８の何れか一項に記載の液体吐出ユニット。
【請求項１０】
記録用メディアを収納するメディア収納部と、
前記メディア収納部に収納された前記記録用メディアを搬送する搬送機構と、
請求項１ないし９の何れか一項に記載の液体吐出ユニットを搭載し、前記搬送機構により搬送された前記記録用メディアに対して当該液体吐出ユニットを主走査方向に往復移動しながら液体を吐出させて所要の画像を形成する画像形成部と、
前記画像形成部により形成した画像を乾燥させる乾燥装置と、
を備えることを特徴とする液体吐出装置。
【請求項１１】
前記液体吐出ユニットのノズル列に対し、画像形成用のプロセスカラーの液体を吐出して形成される画像の層である画像層に対してプロセスカラーとは異なる色の液体を吐出して形成される補助的な層である補助層を先刷り、後刷り、間刷りの何れかとして配置することができるように制御する制御部を備える、
ことを特徴とする請求項１０に記載の液体吐出装置。
【請求項１２】
請求項１０又は１１に記載の液体吐出装置を用いて印刷する印刷方法において、
画像形成用のプロセスカラーの液体として、ブラックインク、イエローインク、マゼンタインク、シアンインクを前記液体吐出装置から吐出し、
該ブラックインク、イエローインク、マゼンタインク、シアンインクとして、水、色材、シロキサン化合物、下記一般式（１）で表される化合物及びポリウレタン樹脂粒子を有するインクを用いる、
【化１】
2017105194.tif 000009
ことを特徴とする印刷方法。
【発明の詳細な説明】
【技術分野】
【０００１】
本発明は、液体吐出ユニット、液体吐出装置及び印刷方法に関する。
【背景技術】
【０００２】
従来、屋内屋外で飾られる広告などのサイングラフィックス分野では、ブラック（Ｋ）、イエロー（Ｙ）、マゼンタ（Ｍ）、シアン（Ｃ）であるプロセスカラーの画像形成用のインクと、白インクやメタリックインクなどのプロセスカラーとは異なる色の補助用インクとを搭載したインクジェット方式の液体吐出装置が用いられている。このような液体吐出装置は、例えば、まず被印刷物である透明メディアの全面に白インクなどの補助用インク（背景用や下地用インク）をプリント（付与）し、その上から画像形成インクによって画像をプリントする。
【０００３】
ここで、被印刷物の全面に補助用インク（例えば、白インク）を付与する場合と、被印刷物の画像を形成する場所にのみ補助用インクを付与する場合との何れかの場合のように、画像を形成する場所と重なる場所に補助用インクを付与する状態を「下地を形成する」という。また、画像形成する場所と重ならない場所に、補助用インクを付与する状態を「背景を形成する」という。したがって、「下地及び背景を形成する」は、被印刷物の全面に補助用インクを付与する態様を表す。また、「下地又は背景を形成する」は、被印刷物に対して画像を形成する場所と補助インクを付与する場所とが完全に一致しない態様、例えば、画像と重なる部分の一部に補助インク層があり、被印刷物の全面ではなく画像が形成されない場所の一部に補助インク層がある態様を表す。
【０００４】
なお、液体吐出装置は、粒状性を向上させるため、ＫＣＭＹ以外に、ライトシアン、ライトマゼンタ、グレーなどの特色インクを画像形成インクに加えることも可能である。また、プリンタ装置は、色再現性を向上させるため、オレンジ、グリーン、レッドなどの特色インクを画像形成インクに加えることも可能である。
【０００５】
特許文献１には、ＫＣＭＹ（プロセスカラー）とは異なる特色の記録液（インク）を吐出するヘッドを備え、特色の記録液を用いて往復の色の差を小さくする技術が開示されている。
【発明の概要】
【発明が解決しようとする課題】
【０００６】
しかしながら、特許文献１に開示された技術によれば、特色のインクをより効果的に用いて様々な印字モードに対応することができない、という問題がある。
【０００７】
本発明は、上記に鑑みてなされたものであって、多彩な印字モードに対応でき、それぞれの印字モードで高速に印字することができる液体吐出ユニット、液体吐出装置及び印刷方法を提供することを目的とする。
【課題を解決するための手段】
【０００８】
上述した課題を解決し、目的を達成するために、本発明は、画像形成用のプロセスカラーの液体を吐出するノズル孔を主走査方向に直交する副走査方向に複数配列したノズル列を有する第１ノズル群と、前記第１ノズル群に対して副走査方向上流側および下流側に設けられるとともに、前記第１ノズル群とはそれぞれ互いに主走査方向に位置をずらして配置され、プロセスカラーとは異なる色の液体を吐出するノズル孔を副走査方向に複数配列したノズル列を有する第２ノズル群及び第３ノズル群と、を備えることを特徴とする。
【発明の効果】
【０００９】
本発明によれば、多彩な印字モードに対応でき、それぞれの印字モードで高速に印字することができる、という効果を奏する。
【図面の簡単な説明】
【００１０】
【図１】図１は、第１の実施形態にかかるインクジェット記録装置の構成を示す模式図である。
【図２】図２は、インクジェット記録装置の制御構成を示すブロック図である。
【図３】図３は、記録ヘッドのノズル構成を示す平面図である。
【図４】図４は、記録ヘッドの印字動作の一例を示す説明図である。
【図５】図５は、記録ヘッドの印字動作の一例を示す説明図である。
【図６】図６は、記録ヘッドの印字動作の一例を示す説明図である。
【図７】図７は、記録ヘッドの印字動作の一例を示す説明図である。
【図８】図８は、記録ヘッドの印字動作の一例を示す説明図である。
【図９】図９は、記録ヘッドの印字動作の一例を示す説明図である。
【図１０】図１０は、印刷結果の一例を示す図である。
【図１１】図１１は、画像にじみが生じた印刷結果の一例を示す図である。
【図１２】図１２は、第２の実施形態にかかる記録ヘッドの印字動作の一例を示す説明図である。
【図１３】図１３は、第３の実施形態にかかる乾燥装置を示すものであり、（ａ）は平面図、（ｂ）は正面図である。
【発明を実施するための形態】
【００１１】
以下に添付図面を参照して、液体吐出ユニット、液体吐出装置及び印刷方法の実施形態を詳細に説明する。本実施形態は、液体吐出ユニットとして記録ヘッドを適用し、液体吐出装置としてインクジェット記録装置を適用した例について説明するものである。
【００１２】
（第１の実施形態）
図１は、第１の実施形態にかかるインクジェット記録装置１の構成を示す模式図である。液体吐出装置であるインクジェット記録装置１は、シリアル型のインクジェット記録装置である。図１に示すように、インクジェット記録装置１は、所要の画像を印字する画像形成部２と、乾燥装置３と、ロールメディア収納部４と、搬送機構５と、を備えている。ロールメディア収納部４は、被印刷物であるロールメディア（記録用メディア）４０を収納する。なお、ロールメディア収納部４は、幅方向のサイズが異なる記録用メディア４０を収納可能である。記録用メディア４０は、ＰＥＴ（ポリエチレンテレフタレート）フィルムなどの透明な非浸透メディアである。
【００１３】
搬送機構５は、ロール・ツー・ロール方式の搬送手段を構成する。搬送機構５は、一対のニップローラ５１と、一対の従動ローラ５２と、巻き取りローラ５３とを記録用メディア４０の搬送経路５４上に備えている。ニップローラ５１は、画像形成部２の手前側（搬送方向Ａの上流側）に設けられている。ニップローラ５１は、モータＭ（図２参照）の駆動に伴って回転することで挟み込んだ記録用メディア４０を画像形成部２に向けて搬送する。また、巻き取りローラ５３は、モータＭの駆動に伴って回転することにより印字後の記録用メディア４０を巻き取る。従動ローラ５２は、記録用メディア４０の搬送に従動して回転する。
【００１４】
搬送機構５は、搬送速度を検出するためのホイールエンコーダ５５（図２参照）を備えている。搬送機構５は、目標値とホイールエンコーダ５５からの検出パルスをサンプリングして得られる速度検出値に基づくモータＭの制御により、搬送速度を制御される。
【００１５】
すなわち、ロールメディア収納部４に収納された記録用メディア４０は、従動ローラ５２を介して、ニップローラ５１の回転によって画像形成部２へと搬送される。画像形成部２に到達した記録用メディア４０は、画像形成部２によって所要の画像を印字される。そして、印字後の記録用メディア４０は、巻き取りローラ５３の回転により巻き取られることになる。
【００１６】
画像形成部２は、キャリッジ２１を備えている。キャリッジ２１は、ガイドロッド（ガイドレール）２２によって摺動可能に保持されている。キャリッジ２１は、モータＭの駆動に伴って記録用メディア４０の搬送方向Ａと直交する方向（主走査方向）にガイドロッド（ガイドレール）２２上を移動する。より詳細には、キャリッジ２１は、主走査方向の移動可能領域である主走査領域のうち、搬送機構５により搬送される記録用メディア４０に対して画像形成部２により印字可能な記録領域内を往復移動する。
【００１７】
キャリッジ２１は、液滴を吐出する吐出口であるノズル孔を複数配列した記録ヘッド２０を搭載している。なお、記録ヘッド２０は、記録ヘッド２０にインクを供給するタンクを一体的に備えている。ただし、記録ヘッド２０は、タンクを一体的に備えているものに限るものではなく、タンクを別体で備えるものであっても良い。記録ヘッド２０は、液体吐出ユニットとして機能するものであって、プロセスカラーの記録液であるブラック（Ｋ）、イエロー（Ｙ）、マゼンタ（Ｍ）、シアン（Ｃ）の各色のインク滴を吐出する。ブラック（Ｋ）、イエロー（Ｙ）、マゼンタ（Ｍ）、シアン（Ｃ）は、画像形成用のインクである。加えて、記録ヘッド２０は、補助用インク（背景用や下地用のインク）であるホワイト（Ｗ）のインク滴を吐出する。また、記録ヘッド２０は、色再現性を向上のために用いるこれらのプロセスカラーの記録液とは色相の異なる特色の記録液であるオレンジ（Ｏ）、グリーン（Ｇ）の各色のインクを吐出する。
【００１８】
ここで、被印刷物である記録用メディア４０の全面に補助用インク（例えば、ホワイトのインク（白インク））を付与する場合と、記録用メディア４０の画像を形成する場所にのみ補助用インクを付与する場合との何れかの場合のように、画像を形成する場所と重なる場所に補助用インクを付与する状態を「下地を形成する」という。また、画像形成する場所と重ならない場所に、補助用インクを付与する状態を「背景を形成する」という。したがって、「下地及び背景を形成する」は、記録用メディア４０の全面に補助用インクを付与する態様を表す。また、「下地又は背景を形成する」は、記録用メディア４０に対して画像を形成する場所と補助インクを付与する場所とが完全に一致しない態様、例えば、画像と重なる部分の一部に補助インク層があり、記録用メディア４０の全面ではなく画像が形成されない場所の一部に補助インク層がある態様を表す。
【００１９】
画像形成部２は、記録ヘッド２０における印字の際に、記録ヘッド２０の下方で記録用メディア４０を支持するプラテン２３を備えている。
【００２０】
また、画像形成部２は、キャリッジ２１の主走査方向に沿ってキャリッジ２１の主走査位置を検知するためのエンコーダシートを備えている。また、キャリッジ２１は、エンコーダ２６（図２参照）を備えている。画像形成部２は、キャリッジ２１のエンコーダ２６によってエンコーダシートを読み取ることにより、キャリッジ２１の主走査位置を検知する。
【００２１】
キャリッジ２１は、キャリッジ２１の移動に従って記録用メディア４０の端部を光学的に検知するセンサ２４を備えている。このセンサ２４による検知信号は、記録用メディア４０の端部の主走査方向の位置と記録用メディア４０の幅との算出に用いられる。
【００２２】
乾燥装置３は、プリヒータ３０と、プラテンヒータ３１と、乾燥ヒータ３２と、温風ファン３３とを備えている。プリヒータ３０とプラテンヒータ３１と乾燥ヒータ３２は、例えばセラミックやニクロム線を用いた電熱ヒータである。
【００２３】
プリヒータ３０は、画像形成部２に対して記録用メディア４０の搬送方向Ａの上流に設けられている。プリヒータ３０は、搬送機構５により搬送される記録用メディア４０を予備的に加熱する。
【００２４】
プラテンヒータ３１は、プラテン２３に配設されている。プラテンヒータ３１は、記録ヘッド２０のノズル孔から噴射されるインク滴を着弾させる記録用メディア４０を加熱する。
【００２５】
乾燥ヒータ３２は、画像形成部２に対して記録用メディア４０の搬送方向Ａの下流に設けられている。乾燥ヒータ３２は、画像形成部２により印刷した記録用メディア４０を引き続き加熱し、着弾したインク滴の乾燥を促す。
【００２６】
温風ファン３３は、乾燥ヒータ３２（画像形成部２）に対して記録用メディア４０の搬送方向Ａの下流に設けられている。温風ファン３３は、インクが着弾した記録用メディア４０の記録面に対して温風を吹き付ける。温風ファン３３は、記録用メディア４０の記録面のインクに対して直接温風を当てることにより、記録用メディア４０の記録面周辺の雰囲気の湿度を下げ、完全に乾燥させる。
【００２７】
このような乾燥装置３を搭載することにより、インクジェット記録装置１は、記録用メディア４０として、塩化ビニル、ＰＥＴ、アクリルなどのインクがしみこまない非浸透のメディアを採用することができる。インクジェット記録装置１は、非浸透のメディアを採用する場合、画像形成部２に用いるインクとして、非浸透メディアにも定着が良好な溶剤系のインクあるいは樹脂成分の多い水性レジンインクを採用することができる。
【００２８】
なお、キャリッジ２１が記録用メディア４０の幅に往復移動しながら記録ヘッド２０からインクを吐出して画像を形成するインクジェット記録装置１では、キャリッジ動作が往路のときにのみインクを吐出して画像を形成する片方向印字と、キャリッジ動作が往路復路両方でインクを吐出して画像を形成する双方向印字がある。インクジェット記録装置１では、印字速度の点で有利な双方向印字が主に用いられる。なお、ここでは、キャリッジ２１が主走査方向に移動しながら記録ヘッド２０からインクを吐出する動作は、１スキャンとする。
【００２９】
次に、インクジェット記録装置１の制御構成について説明する。ここで、図２はインクジェット記録装置１の制御構成を示すブロック図である。
【００３０】
図２に示すように、インクジェット記録装置１は、この装置全体の制御を司る制御部１０を備えている。制御部１０は、制御主体となるＣＰＵ（Central  Processing  Unit）１１と、ＲＯＭ（Read  Only  Memory）１２と、ＲＡＭ（Random  Access  Memory）１３と、メモリ１４と、ＡＳＩＣ（Application  Specific  Integrated  Circuit）１５とを備えている。ＲＯＭ１２は、ＣＰＵ１１が実行するコンピュータプログラムやその他の固定データを格納する。ＲＡＭ１３は、画像データ等を一時格納する。メモリ１４は、インクジェット記録装置１の電源が遮断されている間もデータを保持するための書き換え可能な不揮発性メモリである。ＡＳＩＣ１５は、画像データに対する各種信号処理や並び替え等を行なう画像処理や、その他装置全体を制御するための入出力信号処理を実行する。
【００３１】
また、図２に示すように、制御部１０は、ホストインタフェース（Ｉ／Ｆ）１６と、ヘッド駆動制御部１７と、モータ制御部１８と、Ｉ／Ｏ１９とを備えている。
【００３２】
ホストＩ／Ｆ１６は、ホスト側との間で画像データ（印刷データ）や制御信号の送受信をケーブル或いはネットワークを介して行う。インクジェット記録装置１に接続されるホストとしては、パーソナルコンピュータ等の情報処理装置、イメージスキャナなどの画像読取装置、デジタルカメラなどの撮像装置などが挙げられる。
【００３３】
Ｉ／Ｏ１９は、エンコーダ２６およびホイールエンコーダ５５からの検出パルスを入力する。加えて、Ｉ／Ｏ１９は、センサ２４の他、湿度センサ、温度センサ及びその他のセンサなどの各種センサ２５を接続する。Ｉ／Ｏ１９は、センサ２４や各種センサ２５からの検知信号を入力する。
【００３４】
ヘッド駆動制御部１７は、記録ヘッド２０を駆動制御するものであり、データ転送手段を含む。より詳細には、ヘッド駆動制御部１７は、画像データをシリアルデータで転送する。また、ヘッド駆動制御部１７は、画像データの転送及び転送の確定などに必要な転送クロックやラッチ信号、記録ヘッド２０から液滴を吐出する際に使用する駆動波形を生成する。そして、ヘッド駆動制御部１７は、生成した駆動波形等を記録ヘッド２０の内部の駆動回路へ入力する。
【００３５】
モータ制御部１８は、モータＭを駆動するものである。より詳細には、モータ制御部１８は、ＣＰＵ１１側から与えられる目標値とホイールエンコーダ５５からの検出パルスをサンプリングして得られる速度検出値に基づいて制御値を算出する。そして、モータ制御部１８は、内部のモータ駆動回路を介し、算出した制御値に基づいてモータＭを駆動する。
【００３６】
また、制御部１０は、ヒータ制御部８と、温風ファン制御部９とを備えている。
【００３７】
ヒータ制御部８は、プリヒータ３０とプラテンヒータ３１と乾燥ヒータ３２とについて、各ヒータ３０，３１，３２の温度が設定された温度となるように出力の制御を行う。より詳細には、ヒータ制御部８は、各ヒータ３０，３１，３２を制御する際、各ヒータ３０，３１，３２に設けられた温度センサにより温度情報を取得する。そして、ヒータ制御部８は、各ヒータ３０，３１，３２の温度を監視しながら、各ヒータ３０，３１，３２の温度が設定された温度となるように制御する。なお、記録ヘッド２０のタンクやインク経路上にヒータが設けられている場合には、ヒータ制御部８は、このヒータについても同様に制御する。
【００３８】
温風ファン制御部９は、所定の温度および風量の送風が行われるよう、温風ファン３３の出力を制御する。
【００３９】
加えて、制御部１０は、インクジェット記録装置１に必要な情報の入力及び表示を行なうための操作パネル６０を接続する。
【００４０】
制御部１０は、ＣＰＵ１１がＲＯＭ１２（またはメモリ１４）から読み出したコンピュータプログラムをＲＡＭ１３に展開して実行することにより、各部を統括的に制御する。より詳細には、ＣＰＵ１１は、操作パネル６０から設定された印字モードに基づき、当該印字モード毎に設定された制御内容をＲＯＭ１２（またはメモリ１４）から読み出す。そして、ＣＰＵ１１は、ＲＯＭ１２（またはメモリ１４）から読み出した制御内容に基づいて各部を制御することで、後述する制御を実行する。
【００４１】
なお、本実施形態のインクジェット記録装置１で実行されるコンピュータプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００４２】
また、本実施形態のインクジェット記録装置１で実行されるコンピュータプログラムを、インターネット等のネットワークに接続されたコンピュータ上に格納し、ネットワーク経由でダウンロードさせることにより提供するように構成しても良い。また、本実施形態のインクジェット記録装置１で実行されるコンピュータプログラムをインターネット等のネットワーク経由で提供または配布するように構成しても良い。
【００４３】
また、本実施形態のインクジェット記録装置１で実行されるコンピュータプログラムを、ＲＯＭ等に予め組み込んで提供するように構成してもよい。
【００４４】
次に、インクジェット記録装置１の制御部１０が実行する画像データ転送印刷処理について簡単に説明する。制御部１０のＣＰＵ１１は、ホストＩ／Ｆ１６に含まれる受信バッファ内の画像データ（印刷データ）を読み出して解析し、ＡＳＩＣ１５にて必要な画像処理、データの並び替え処理等を行なう。次いで、制御部１０のＣＰＵ１１は、ＡＳＩＣ１５で処理を施した画像データ（印刷データ）をヘッド駆動制御部１７から記録ヘッド２０に転送する。
【００４５】
なお、画像出力するためのドットパターンデータの生成は、例えばＲＯＭ１２にフォントデータを格納して行っても良いし、ホスト側のプリンタドライバで画像データをビットマップデータに展開してインクジェット記録装置１に転送するようにしても良い。
【００４６】
次に、本実施形態のインクジェット記録装置１の特徴的な機能について説明する。本実施形態のインクジェット記録装置１は、透明な非浸透メディアである記録用メディア４０へのインクジェット印刷に際して、多彩な印字モードに対応でき、それぞれの印字モードで高速に印字することができ、乾燥不足による画像のにじみを低減することができるようにしたものである。
【００４７】
ここで、図３は記録ヘッド２０のノズル構成を示す平面図である。図３は、記録ヘッド２０のノズル列を上面から透過的に示したものである。図３に示すように、記録ヘッド２０は、第１ノズル群２０ａと、第２ノズル群２０ｂと、第３ノズル群２０ｃとを備えている。
【００４８】
図３に示すように、第１ノズル群２０ａと少なくとも一つの第２ノズル群２０ｂと第３ノズル群２０ｃとは、それぞれ互いに主走査方向に位置をずらして配置されている。特に図３においては、各ノズル群２０ａ、２０ｂ、２０ｃは、主走査方向に２列とし副走査方向に千鳥状に交互に配設されている。すなわち、各ノズル群２０ａ、２０ｂ、２０ｃは、記録用メディア４０の搬送方向Ａの上流側から下流側に向かってノズル列が重複しないように、第２ノズル群２０ｂ、第１ノズル群２０ａ、第３ノズル群２０ｃの順に配設されている。また、図３に示すように、第１ノズル群２０ａは、第２ノズル群２０ｂおよび第３ノズル群２０ｃとは、主走査方向に位置をずらして配設されている。
【００４９】
第１ノズル群２０ａは、画像形成用のＫＣＭＹ（プロセスカラー）のインク滴を吐出する４列のノズル列を備えている。それぞれのノズル列は、ノズル番号Ｎｏ．１のノズル孔からノズル番号Ｎｏ．１９２のノズル孔の１９２個のノズル孔を有している。図３に示す例では、各ノズル孔は、記録用メディア４０の搬送方向Ａの下流側のノズル孔から上流側のノズル孔に向かって、ノズル番号Ｎｏ．１からノズル番号Ｎｏ．１９２となっている。なお、これらのノズル孔間のピッチＰは、１５０ｄｐｉ（dots  per  inch）である。
【００５０】
第１ノズル群２０ａは、イエロー（Ｙ）のインク滴を吐出するイエローインクノズル列ＮＹと、マゼンタ（Ｍ）のインク滴を吐出するマゼンタインクノズル列ＮＭと、シアン（Ｃ）のインク滴を吐出するシアンインクノズル列ＮＣと、ブラック（Ｋ）のインク滴を吐出するブラックインクノズル列ＮＫを有している。
【００５１】
第２ノズル群２０ｂおよび第３ノズル群２０ｃも、第１ノズル群２０ａと同様に、各列がノズル番号Ｎｏ．１からノズル番号Ｎｏ．１９２の１９２個のノズル孔を有する４列のノズル列を有している。第２ノズル群２０ｂおよび第３ノズル群２０ｃも、第１ノズル群２０ａと同様に、ノズル孔間のピッチＰは、１５０ｄｐｉである。
【００５２】
第２ノズル群２０ｂおよび第３ノズル群２０ｃは、補助記録用のノズル列を備えている。具体的には、第２ノズル群２０ｂおよび第３ノズル群２０ｃは、背景及び／又は下地形成用の色のインク滴を吐出する２列のノズル列と、画像形成用の特色のインク滴を吐出する２列のノズル列とを備えている。
【００５３】
第２ノズル群２０ｂおよび第３ノズル群２０ｃは、背景及び／又は下地形成用インクの一例としてホワイト（Ｗ）のインク滴を吐出する２列のノズル列ＮＷを有している。また、第２ノズル群２０ｂおよび第３ノズル群２０ｃは、画像形成用の特色のインクの一例としてオレンジ（Ｏ）のインク滴を吐出するノズル列ＮＯと、グリーン（Ｇ）のインク滴を吐出するノズル列ＮＧを有している。
【００５４】
上述したように、各ノズル群２０ａ、２０ｂ、２０ｃはノズル列数およびノズル数が同一であることから、各ノズル群２０ａ、２０ｂ、２０ｃを同一の部品で構成することができることにより、部品種類を少なくすることができるので、装置の低コスト化を図ることができる。
【００５５】
ここで、記録ヘッド２０の各ノズル群２０ａ、２０ｂ、２０ｃによる印字動作について説明する。なお、ここでは、４パス、１/４インターレースの１６スキャンで印字する場合を例とする。各ノズル列のノズル孔間のピッチＰは１５０ｄｐｉであるので、１/４インターレースで印字すると、副走査方向６００ｄｐｉの画像が形成される。
【００５６】
［白下地→カラー画像（４色）］
図４は、記録ヘッド２０の印字動作の一例を示す説明図である。図４に示す例は、白下地を下地及び背景として形成した後、カラー画像（４色）を形成するモードである。図４に示す例では、破線で囲まれたノズル列ＮＷ，ＮＷ，ＮＹ，ＮＣ，ＮＭ，ＮＫを用いる。
【００５７】
まず、インクジェット記録装置１の制御部１０は、第２ノズル群２０ｂの２列のノズル列ＮＷを用いて、下地及び背景の白ベタを形成する。下地及び背景形成用の２列のノズル列ＮＷは、３００ｄｐｉ（１５０ｄｐｉ×２）で配列される。通常、副走査６００ｄｐｉの画像は、３００ｄｐｉのノズル列によれば１／２インターレースで可能である。しかしながら、ここでは１／４インターレースとしているため、下地及び背景用白ベタは２倍の付着量となり、インク層が厚く形成される。そのため、記録用メディア４０は、白ベタで下地や背景を形成した場合に十分な遮光性を得ることができる。
【００５８】
次に、インクジェット記録装置１の制御部１０は、白ベタが完成した後に、第１ノズル群２０ａのノズル列ＮＹ，ＮＣ，ＮＭ，ＮＫを用いて、画像形成用のＫＣＭＹ（プロセスカラー）による画像を白ベタの上に形成する。この場合、ＫＣＭＹの４色のインクによる画像は、４パス、１／４インターレースの１６スキャンで副走査６００ｄｐｉの画像である。
【００５９】
［白下地→カラー画像（６色）］
図５は、記録ヘッド２０の印字動作の一例を示す説明図である。図５に示す例は、白ベタで下地や背景を形成した後、カラー画像（６色）を形成するモードである。図５に示す例では、破線で囲まれたノズル列ＮＷ，ＮＷ，ＮＹ，ＮＣ，ＮＭ，ＮＫ，ＮＯ，ＮＧを用いる。
【００６０】
まず、図４の例と同様に、インクジェット記録装置１の制御部１０は、第２ノズル群２０ｂの２列のノズル列ＮＷを用いて、下地及び背景の白ベタを形成する。その後、図４の例と同様に、インクジェット記録装置１の制御部１０は、第１ノズル群２０ａのノズル列ＮＹ，ＮＣ，ＮＭ，ＮＫを用いて、画像形成用のＫＣＭＹ（プロセスカラー）による画像を白ベタの上に形成する。
【００６１】
次に、インクジェット記録装置１の制御部１０は、第３ノズル群２０ｃのノズル列ＮＯ，ＮＧを用いて、オレンジおよびグリーンの特色による画像を加えていく。図５に示す例では、このような特色の追加により、より色域の広い画像を形成することができる。
【００６２】
特色ドットは、プロセスカラーのドットよりも観察面側に位置するように印刷すると、特色の効果をより効率的に引き出すことができ、色域を大きくするのに有効である。本実施例では、プロセスカラーであるイエロー、シアン、マゼンタ、ブラックを形成した後に、特色であるオレンジ、グリーンを印字するので、特色ドットがプロセスカラーよりも上に打たれることになり色域を大きくするのに有効である。
【００６３】
［カラー画像（６色）→白上塗り］
図６は、記録ヘッド２０の印字動作の一例を示す説明図である。図６に示す例は、透明な記録用メディア４０に印字して、印字した面と反対側の面から観察する裏刷りモードである。図６に示す例は、カラー画像（６色）を形成した後、白を上塗りして白インク層を設け、観察する面から見た場合の下地及び背景を形成する例である。図６に示す例では、破線で囲まれたノズル列ＮＯ，ＮＧ，ＮＹ，ＮＣ，ＮＭ，ＮＫ，ＮＷ，ＮＷを用いる。
【００６４】
まず、インクジェット記録装置１の制御部１０は、第３ノズル群２０ｃのノズル列ＮＯ，ＮＧを用いて、オレンジおよびグリーンの特色による画像を形成する。オレンジとグリーンの画像形成が終わった後に、インクジェット記録装置１の制御部１０は、第１ノズル群２０ａのノズル列ＮＹ，ＮＣ，ＮＭ，ＮＫを用いて、画像形成用のＫＣＭＹ（プロセスカラー）による画像を形成する。
【００６５】
画像が完成した後に、インクジェット記録装置１の制御部１０は、第２ノズル群２０ｂの２列のノズル列ＮＷを用いて、白ベタを形成し、観察する面から見た場合の下地及び背景を形成する例である。
【００６６】
図６に示す例では、完成した印字物を裏面から観察することにより、白ベタを、下地及び背景にして、カラー画像が形成された画像となる。ここで、印字するときにプロセスカラーであるイエロー、シアン、マゼンタ、ブラックよりも、特色であるオレンジ、グリーンを先に印字しているので、観察面側から見ればオレンジ、グリーンのドットは上に位置する。本実施例では、特色ドットがプロセスカラーのドットよりも観察面側に位置するので、特色の効果をより効率的に引き出すことができ色域が大きくするのに有効である。
【００６７】
［カラー画像（６色）］
図７は、記録ヘッド２０の印字動作の一例を示す説明図である。図７に示す例は、透明な記録用メディア４０に代えて白色などの記録用メディアを用いた場合に、特色を加えたカラー画像を印字するモードである。図７に示す例では、破線で囲まれたノズル列ＮＹ，ＮＣ，ＮＭ，ＮＫ，ＮＯ，ＮＧを用いる。
【００６８】
まず、インクジェット記録装置１の制御部１０は、第１ノズル群２０ａのノズル列ＮＹ，ＮＣ，ＮＭ，ＮＫを用いて、画像形成用のＫＣＭＹ（プロセスカラー）による画像を形成する。
【００６９】
次に、インクジェット記録装置１の制御部１０は、第３ノズル群２０ｃのノズル列ＮＯ，ＮＧを用いて、オレンジおよびグリーンの特色による画像を加えていく。図７に示す例では、このような特色の追加により、より色域の広い画像を形成することができる。
【００７０】
特色ドットは、プロセスカラーのドットよりも観察面側に位置するように印刷すると、特色の効果をより効率的に引き出すことができ、色域を大きくするのに有効である。本実施例では、プロセスカラーであるイエロー、シアン、マゼンタ、ブラックを形成した後に、特色であるオレンジ、グリーンを印字するので、特色ドットがプロセスカラーよりも上に打たれることになり色域を大きくするのに有効である。
【００７１】
［カラー画像（４色）］
図８は、記録ヘッド２０の印字動作の一例を示す説明図である。図８に示す例は、透明な記録用メディア４０に代えて白色などの記録用メディアを用いた場合に、カラー画像（４色）を形成するモードである。図８に示す例では、破線で囲まれたノズル列ＮＹ，ＮＣ，ＮＭ，ＮＫを用いる。
【００７２】
インクジェット記録装置１の制御部１０は、第１ノズル群２０ａのノズル列ＮＹ，ＮＣ，ＮＭ，ＮＫを用いて、画像形成用のＫＣＭＹ（プロセスカラー）による画像を形成する。
【００７３】
本実施例では、第１ノズル群２０ａのみで印字が可能となる。そのため、副走査方向の印字幅は、第１ノズル群２０ａのノズル列長さとなるため、２つのヘッドを使用して印字する場合に比べ、画像の書き出しと書き終わりでのスキャン数は少なくなり、結果として印字速度が速くなる。
【００７４】
［白下地→カラー画像（４色）の変形例］
図９は、記録ヘッド２０の印字動作の一例を示す説明図である。図９に示す例は、白を下地及び背景として形成した後、カラー画像（４色）を形成するモードである。図９に示す例では、破線で囲まれたノズル列ＮＷ，ＮＷ，ＮＹ，ＮＣ，ＮＭ，ＮＫを用いる。
【００７５】
図４に示した例との違いは、図９に示すように、第２ノズル群２０ｂの２列のノズル列ＮＷについて、第１ノズル群２０ａから離れた部分の１／２だけ使用する点である。こうすることにより、下地及び背景である白ベタが完成してから、白ベタ上に第１ノズル群２０ａのノズル列ＮＹ，ＮＣ，ＮＭ，ＮＫを用いた画像の形成を開始するまでの時間を長くすることができる。
【００７６】
白ベタ上にカラー画像を形成する場合、インクの特性、印字速度やメディアの加熱時間により、白ベタの乾燥が不十分でその上に打ったカラーインクが滲んだり、白インク層に沈み込んだりすることがある。本実施例によれば、白ベタ上にカラー画像を形成するまでの白ベタインクの乾燥時間が長くなり、画像不具合を低減することができる。
【００７７】
また、第２ノズル群２０ｂの２列のノズル列ＮＷについては駆動するノズル数が少なくなるので、インク滴の吐出周波数を２倍で駆動するようにしても良い。これにより、ノズル数が少なくても、画像プリントと同じ速度でプリントすることができる。
【００７８】
たとえば、図４に示した例において第２ノズル群２０ｂの２列のノズル列ＮＷで形成される画像を４パス、１／４インターレースの１６スキャンで印字する場合、本実施例の第２ノズル群２０ｂの２列のノズル列ＮＷで形成される下地及び背景は、２パス、１／４インターレースの８スキャンで形成される。
【００７９】
下地及び背景の印刷はベタ画像ができればよく、ハーフトーン、高精細プリントは必要ない。そのため多値ドットは必要なく２値ドットで十分であり、駆動波形は単純な形状で可能となるため、吐出周波数を高くすることが可能である。また、下地及び背景の形成は画像形成よりも少ないスキャン数でプリントすることになるが、下地及び背景色のみのベタ画像を印刷するだけであり色境界も存在しないため、色境界にじみの対策も必要ない。そのため、スキャン数を少なくしても画像の不具合は生じない。
【００８０】
このように本実施形態によれば、多彩な印字モードに対応でき、それぞれのモードで高速に印字することができる。
【００８１】
また、本実施形態によれば、乾燥不足による画像にじみも少なくすることができる。
【００８２】
なお、本実施形態では、特色としてオレンジとグリーンを適用した。しかしながら、これに限るものではなく、レッド、ブルーなどの特色、あるいはライトシアン、ライトマゼンタ、グレーのようなライトインクを特色として用いるようにしても良い。
【００８３】
また、本実施形態では、補助用インクとして白インクを適用したが、これに限るものではない。インクジェット記録装置１は、補助用インクとして、銀インク、金インク、透明インク、プライマー、表面保護剤などを適用することができる。このような補助用インクは、基本的に画像形成用のインクで形成される画像の層である画像層の表面または裏面に補助層を形成して画像の品質を高めたり、質感を追加したりするために使われる。
【００８４】
補助用インクは、被印刷物である記録用メディア４０の全面に付与しても良く（背景用、下地用）、また、記録用メディア４０の一部に塗布しても良い（下地用）。また、記録用メディア４０の一部に塗布する場合は、例えば、記録を行う箇所と同一の箇所に塗布しても良いし、又は記録を行う箇所と一部共通する箇所に塗布しても良い。
【００８５】
さらに、本実施形態では、画像形成用のプロセスカラーにはブラックインクも含んでいるが、画像形成用のプロセスカラーにはブラックインクを含まない構成とすることもできる。
【００８６】
本実施形態のインクジェット記録装置１を用いた印刷は、全てのマス境界において図１０に示すようなブリーディング（にじみ）の無い良好な結果を得られる。
【００８７】
一方、従来の記録ヘッドを用いた印刷は、図１１に示すようなブリーディング（にじみ）などの画質欠陥を生じる。
【００８８】
（第２の実施形態）
次に、第２の実施形態について説明する。なお、前述した第１の実施形態と同じ部分は同じ符号で示し説明も省略する。
【００８９】
図１２は、第２の実施形態にかかる記録ヘッド２０の印字動作の一例を示す説明図である。図１２に示すように、本実施形態の記録ヘッド２０は、第１ノズル群２０ａと、第２ノズル群２０ｂおよび第３ノズル群２０ｃとの記録用メディア４０の搬送方向Ａの距離を広げた構成としている。このようにすることで、白ベタ上にカラー画像を形成するまでの白ベタインクの乾燥時間が長くすることができる。
【００９０】
図１２に示す本実施形態の記録ヘッド２０は、第２ノズル群２０ｂの下地及び背景形成用ノズル列ＮＷを全チャネル使用しても、乾燥時間を得ることができる。
【００９１】
また、第１ノズル群２０ａと第３ノズル群２０ｃとの記録用メディア４０の搬送方向Ａの距離を広げることにより、第１ノズル群２０ａで形成されたカラー画像の上に、第３ノズル群２０ｃで白ベタを形成する場合（裏刷り）、カラー画像とその上の白ベタとの間で発生するにじみを低減することができる。
【００９２】
（第３の実施形態）
次に、第３の実施形態について説明する。なお、前述した第１の実施形態と同じ部分は同じ符号で示し説明も省略する。
【００９３】
第１の実施形態においては、乾燥装置３を用いたヒータ加熱等によりインクを硬化させ、記録用メディア４０に画像を定着させる方式を例としていた。本実施形態は、ＵＶ光（紫外線）などの放射線のエネルギーにより硬化するインクを用いた場合に、第１の実施形態とは異なる方式でインクを硬化させるようにしたものである。
【００９４】
図１３は、第３の実施形態にかかる硬化装置８０を示すものであり、（ａ）は平面図、（ｂ）は正面図である。図１３に示すように、インクジェット記録装置１は、ガイドロッド２２にキャリッジ２１が支持されている。キャリッジ２１は、主走査方向をガイドロッド２２に従って往復移動する。
【００９５】
インクジェット記録装置１は、キャリッジ２１に記録ヘッド２０を搭載している。記録ヘッド２０の両側部には、記録用メディア４０に吐出されたインクに対して紫外線を照射する硬化装置８０としての紫外線照射装置が設けられている。
【００９６】
このような構成により、インクジェット記録装置１は、硬化装置８０により記録ヘッド２０から吐出され記録用メディア４０に着弾したインクに対して、硬化装置８０としての紫外線照射装置より順次紫外線を照射する。これにより、インクジェット記録装置１は、ＵＶ光（紫外線）により硬化するインクを、記録用メディア４０上に硬化定着させることができる。
【００９７】
なお、第１の実施の形態ないし第３の実施の形態にかかるインクジェット記録装置１で用いられるインクとしては、特段の制限はない。特に、インクジェット記録装置１においては、水、有機溶剤、色材、樹脂粒子及びシロキサン化合物を含有するインクを用いると、乾燥性を高めることができ、好適に滲みを抑制することができる。
【００９８】
＜シロキサン化合物＞
インクジェット記録装置１で用いられるインクに含まれる成分のうち、シロキサン化合物は、記録する非浸透メディア（記録用メディア４０）へのインク定着性を左右する。そのため、シロキサン化合物の果たす役割は非常に大きい。本発明者らは、シロキサン化合物をインクに加えることでインクの乾燥性が著しく向上することを知見した。より詳細には、シロキサン化合物をインクに加えることで、各種の非浸透メディア（記録用メディア４０）との親和性が向上し、インクが非浸透メディア（記録用メディア４０）へ付着後すぐに広がり表面積を拡大し、乾燥効率が高まるためと推察される。インクの非浸透メディア（記録用メディア４０）への乾燥性が向上することにより、白インクによる下地及び／又は背景を形成した後にプロセスカラーインクによる画像形成を行う白先刷り、プロセスカラーインクによる画像形成後に白インクによるインク層を設ける白後刷りなどを実行時においても色境界にじみの発生が抑制でき、高品位の画像を得ることができる。
【００９９】
シロキサン化合物としては、例えばポリジメチルシロキサンなどのポリシロキサン部を有する化合物（シリコーン系化合物）の側鎖、及び／又は末端に親水性の基や親水性ポリマー鎖を有する化合物がー般的である。親水性の基や親水性ポリマー鎖としては、例えばポリエーテル結合（ポリエチレンオキシド、ポリプロピレンオキンドやこれらの共重合体など）、ポリグリセリン（Ｃ３Η６Ｏ（ＣＨ２ＣＨ（ＯＨ）ＣＨ２Ｏ）ｎ−Ｈなど）、ピロリドン、ベタイン（Ｃ３Η６Ｎ＋Ｍｅ２−ＣＨ２ＣＯＯ―など）、硫酸塩（Ｃ３Ｈ６Ｏ（Ｃ２Ｈ４Ｏ）ｎ−ＳＯ３Ｎａなど）、リン酸塩（Ｃ３Η６Ｏ（Ｃ２Ｈ４Ｏ）ｎ−Ｐ（＝Ｏ）ＯＨＯＮａなど）、４級塩（Ｃ３Ｈ６Ｎ＋Ｍｅ３Ｃｌ−など）が挙げられる。なお、上記化学式中ｎは１以上の整数を表わす。
【０１００】
また、シロキサン化合物としては、末端に重合性ビニル基を有するポリジメチルシロキサンなどと共重合可能なその他のモノマー（該モノマーの少なくとも一部には（メタ）アクリル酸やその塩などの親水性モノマーを用いることが好ましい）との共重合で得られる側鎖にポリジメチルシロキサンなどのシリコーン系化合物鎖を有するビニル系共重合体など挙げられる。
【０１０１】
これらの中でも、シロキサン化合物としては、ポリシロキサン部を有する化合物に親水性ポリマー鎖を有する化合物が好ましい。親水性ポリマー鎖としては、ポリエーテル結合を含有するものが特に好ましい。
【０１０２】
また、シロキサン化合物としては、疎水基にメチルポリシロキサン、親水基にポリオキシエチレンの構造をもつ、非イオン界面活性剤であることが特に好ましい。
【０１０３】
シロキサン化合物のＨＬＢ（親水基／疎水基バランス：Hydrophile-Lipophile  Balance）は、８．０以下であることが好ましい。シロキサン化合物のＨＬＢが８．０以下であると、各種の非浸透メディア（記録用メディア４０）に対するインクジェット印字時において優れたインク乾燥性を確保することができる。
【０１０４】
ここで、ＨＬＢは、以下の式（グリフィン法）により定義されるものである。
ＨＬＢ＝２０×（親水部の式量の総和／分子量）
【０１０５】
好適に使用できるシロキサン化合物としては、シルフェイスSAG005（日信化学工業(株)社製；ＨＬＢ＝７．０）、シルフェイスSAG008（日信化学工業(株)社製；ＨＬＢ＝７．０）、FZ2110（東レ・ダウ(株)社製；ＨＬＢ＝１．０）、FZ2166（東レ・ダウ(株)社製；ＨＬＢ＝５．８）、SH-3772M（東レ・ダウ(株)社製、ＨＬＢ＝６．０）、L7001（東レ・ダウ(株)社製；ＨＬＢ＝７．４）、SH-3773M（東レ・ダウ(株)社製；ＨＬＢ＝８．０）、KF-945（信越化学工業(株)社製；ＨＬＢ＝４．０）、KF-6017（信越化学工業(株)社製；ＨＬＢ＝４．５）、FormBan MS-575（Ultra Addives Inc.社製；ＨＬＢ＝５．０）などが挙げられる。
【０１０６】
上記のシロキサン化合物は、単独で用いてもよいし、２種以上を併用して用いてもよい。シロキサン化合物のインク中の総量は、０．１質量％〜４．０質量％であることが好ましく、１．０〜２．０質量％であるとさらに好ましい。シロキサン化合物のインク中の総量は、１．０〜２．０質量％であると各種の非浸透メディア（記録用メディア４０）へのインク定着性を確保でき、さらに光沢等の画像品質も良好である。
【０１０７】
＜樹脂粒子＞
樹脂粒子としては、特に制限はないが、例えば、ポリエステル樹脂粒子；ポリウレタン樹脂粒子；エポキシ樹脂粒子；ポリアミド樹脂粒子；ポリエーテル樹脂粒子；アクリル樹脂粒子；アクリル−シリコーン樹脂粒子；フッ素系樹脂等の縮合系合成樹脂粒子；ポリオレフィン樹脂粒子、ポリスチレン系樹脂粒子、ポリビニルアルコール系樹脂粒子、ポリビニルエステル系樹脂粒子、ポリアクリル酸系樹脂粒子、不飽和カルボン酸系樹脂等の付加系合成樹脂粒子；セルロース類、ロジン類、天然ゴム等の天然高分子などが挙げられる。上記の樹脂粒子は、２種以上を併用して用いてもよい。
【０１０８】
添加する樹脂粒子のうちの一つは、これらの樹脂粒子の中でも、インクの分散安定性と高光沢性の点から、ポリウレタン樹脂粒子が好ましい。ポリウレタン樹脂粒子は、シロキサン化合物との分散性がよく、造膜性が高まることから、良好な乾燥性が得られ、効果的に色にじみを抑制することができる。これにより、白インクによる下地及び／又は背景形成後にカラーインクによる画像形成を行う白先刷り、カラーインクによる画像形成後に白インクによる背景形成を行う白後刷りなどを実行時においても色境界にじみの発生が抑制でき、高品位の画像を得ることができる。
【０１０９】
なお、樹脂微粒子としては、適宜合成したものを使用してもよいし、市販品を使用してもよい。
【０１１０】
＜＜ポリウレタン樹脂粒子＞＞
ポリウレタン樹脂粒子としては、特に制限はなく、例えば、ポリオールとポリイソシアネートとを反応させて得られるポリウレタン樹脂粒子などが挙げられる。ポリオールとしては、例えば、ポリエーテルポリオール、ポリカーボネートポリオール、ポリエステルポリオールなどが挙げられる。これらは、１種を単独で用いても、２種以上を併用してもよい。
【０１１１】
−ポリエーテルポリオール−
ポリエーテルポリオールとしては、例えば、活性水素原子を２個以上有する化合物の１種又は２種以上を出発原料として、アルキレンオキサイドを付加重合させたものなどが挙げられる。
【０１１２】
出発原料としては、例えば、エチレングリコール、ジエチレングリコール、トリエチレングリコール、プロピレングリコール、トリメチレングリコール、１，３−ブタンジオール、１，４−ブタンジオール、１，６−ヘキサンジオール、グリセリン、トリメチロールエタン、トリメチロールプロパンなどが挙げられる。これらは、１種を単独で用いても、２種以上を併用してもよい。
【０１１３】
アルキレンオキサイドとしては、例えば、エチレンオキサイド、プロピレンオキサイド、ブチレンオキサイド、スチレンオキサイド、エピクロルヒドリン、テトラヒドロフランなどが挙げられる。これらは、１種を単独で用いても、２種以上を併用してもよい。
【０１１４】
ポリエーテルポリオールとしては、非常に優れた耐擦過性を付与できるインク用バインダーを得る点から、ポリオキシテトラメチレングリコール、ポリオキシプロピレングリコールなどが挙げられる。これらは、１種を単独で用いても、２種以上を併用してもよい。
【０１１５】
−ポリカーボネートポリオール−
また、ポリウレタン樹脂粒子の製造に使用できるポリカーボネートポリオールとしては、例えば、炭酸エステルとポリオールとを反応させて得られるもの、ホスゲンとビスフェノールＡ等とを反応させて得られるものなどが挙げられる。これらは、１種を単独で用いても、２種以上を併用してもよい。
【０１１６】
炭酸エステルとしては、例えば、メチルカーボネート、ジメチルカーボネート、エチルカーボネート、ジエチルカーボネート、シクロカーボネート、ジフェニルカーボネートなどが挙げられる。これらは、１種を単独で用いても、２種以上を併用してもよい。
【０１１７】
ポリオールとしては、例えば、エチレングリコール、ジエチレングリコール、トリエチレングリコール、１，２−プロピレングリコール、１，３−プロピレングリコール、ジプロピレングリコール、１，４−ブタンジオール、１，３−ブタンジオール、１，２−ブタンジオール、２，３−ブタンジオール、１，５−ペンタンジオール、１，５−ヘキサンジオール、２，５−ヘキサンジオール、１，６−ヘキサンジオール、１，７−ヘプタンジオール、１，８−オクタンジオール、１，９−ノナンジオール、１，１０−デカンジオール、１，１１−ウンデカンジオール、１，１２−ドデカンジオール、１，４−シクロヘキサンジオール、１，４−シクロヘキサンジメタノール、ハイドロキノン、レゾルシン、ビスフェノール−Ａ、ビスフェノール−Ｆ、４，４’−ビフェノール等の比較的低分子量のジヒドロキシ化合物、ポリエチレングリコール、ポリプロピレングリコール、ポリオキシテトラメチレングリコール等のポリエーテルポリオール、ポリヘキサメチレンアジペート、ポリヘキサメチレンサクシネート、ポリカプロラクトン等のポリエステルポリオールなどが挙げられる。これらは、１種を単独で用いても、２種以上を併用してもよい。
【０１１８】
−ポリエステルポリオール−
ポリエステルポリオールとしては、例えば、低分子量のポリオールとポリカルボン酸とをエステル化反応して得られるもの、ε−カプロラクトン等の環状エステル化合物を開環重合反応して得られるポリエステル、これらの共重合ポリエステルなどが挙げられる。これらは、１種を単独で用いても、２種以上を併用してもよい。
【０１１９】
低分子量のポリオールとしては、例えば、エチレングリコール、プロピレングリコ−ルなどが挙げられる。これらは、１種を単独で用いても、２種以上を併用してもよい。
【０１２０】
ポリカルボン酸としては、例えば、コハク酸、アジピン酸、セバシン酸、ドデカンジカルボン酸、テレフタル酸、イソフタル酸、フタル酸、これらの無水物又はエステル形成性誘導体などが挙げられる。これらは、１種を単独で用いても、２種以上を併用してもよい。
【０１２１】
−ポリイソシアネート−
ポリイソシアネートとしては、例えば、フェニレンジイソシアネート、トリレンジイソシアネート、ジフェニルメタンジイソシアネート、ナフタレンジイソシアネート等の芳香族ジイソシアネート；ヘキサメチレンジイソシアネート、リジンジイソシアネート、シクロヘキサンジイソシアネート、イソホロンジイソシアネート、ジシクロヘキシルメタンジイソシアネート、キシリレンジイソシアネート、テトラメチルキシリレンジイソシアネート、２，２，４−トリメチルヘキサメチレンジイソシアネート等の脂肪族又は脂環式ジイソシアネートなどが挙げられる。これらは、１種を単独で用いても、２種以上を併用してもよい。これらの中でも、長期耐候性の点から、脂肪族又は脂環式ジイソシアネートが好ましい。特に、ポスターや看板などの屋外向けの用途としても用いる場合は、非常に高い長期耐候性を持つ塗膜を必要としているためである。
【０１２２】
更に、ポリイソシアネートとしては、少なくとも１種の脂環式ジイソシアネートを使用することにより、画像を形成した場合に塗膜強度、及び耐擦過性を得ることができるので好ましい。
【０１２３】
脂環式ジイソシアネートとしては、例えば、イソホロンジイソシアネート、ジシクロヘキシルメタンジイソシアネートが挙げられる。脂環式ジイソシアネートの含有量としては、イソシアネート化合物全量に対して、６０質量％以上が好ましい。
【０１２４】
＜＜ポリウレタン樹脂粒子の製造方法＞＞
ポリウレタン樹脂粒子は、従来一般的に用いられている製造方法により得ることができる。例えば、次の方法などが挙げられる。まず、無溶剤下又は有機溶剤の存在下で、ポリオールとポリイソシアネートを、イソシアネート基が過剰になる当量比で反応させて、イソシアネート末端ウレタンプレポリマーを製造する。次いで、イソシアネート末端ウレタンプレポリマー中のアニオン性基を必要に応じて中和剤により中和し、その後、鎖延長剤と反応させて、最後に必要に応じて系内の有機溶剤を除去することによって得ることができる。
【０１２５】
ポリウレタン樹脂粒子の製造に使用できる有機溶剤としては、例えば、アセトン、メチルエチルケトン等のケトン類；テトラヒドロフラン、ジオキサン等のエーテル類；酢酸エチル、酢酸ブチル等の酢酸エステル類；アセトニトリル等のニトリル類；ジメチルホルムアミド、Ｎ−メチルピロリドン、Ｎ−エチルピロリドン等のアミド類などが挙げられる。これらは、１種を単独で用いても、２種以上を併用してもよい。
【０１２６】
鎖延長剤としては、例えば、ポリアミンやその他の活性水素基含有化合物などが挙げられる。これらは、１種を単独で用いても、２種以上を併用してもよい。
【０１２７】
ポリアミンとしては、例えば、エチレンジアミン、１，２−プロパンジアミン、１，６−ヘキサメチレンジアミン、ピペラジン、２，５−ジメチルピペラジン、イソホロンジアミン、４，４’−ジシクロヘキシルメタンジアミン、１，４−シクロヘキサンジアミン等のジアミン類；ジエチレントリアミン、ジプロピレントリアミン、トリエチレンテトラミン等のポリアミン類；ヒドラジン、Ｎ，Ｎ’−ジメチルヒドラジン、１，６−ヘキサメチレンビスヒドラジン等のヒドラジン類；コハク酸ジヒドラジッド、アジピン酸ジヒドラジド、グルタル酸ジヒドラジド、セバシン酸ジヒドラジド、イソフタル酸ジヒドラジド等のジヒドラジド類などが挙げられる。これらは、１種を単独で用いても、２種以上を併用してもよい。
【０１２８】
その他の活性水素基含有化合物としては、例えば、エチレングリコール、ジエチレングリコール、トリエチレングリコール、プロピレングリコール、１，３−プロパンジオール、１，３−ブタンジオール、１，４−ブタンジオール、ヘキサメチレングリコール、サッカロース、メチレングリコール、グリセリン、ソルビトール等のグリコール類；ビスフェノールＡ、４，４’−ジヒドロキシジフェニル、４，４’−ジヒドロキシジフェニルエーテル、４，４’−ジヒドロキシジフェニルスルホン、水素添加ビスフェノールＡ、ハイドロキノン等のフェノール類；水などが挙げられる。これらは、インクの保存安定性が低下しない範囲内であれば、１種を単独で用いても、２種以上を併用してもよい。
【０１２９】
ポリウレタン樹脂粒子としては、高光沢性の点から、ポリカーボネート系ウレタン樹脂粒子が好ましい。ポリカーボネート系ウレタン樹脂粒子である場合、屋外用途のような過酷な環境において使用される記録物にも高光沢性を維持するインクが得られる。
【０１３０】
ポリウレタン樹脂粒子としては、市販品を使用してもよく、例えば、ユーコートＵＸ−４８５（ポリカーボネート系ウレタン樹脂粒子）、ユーコートＵＷＳ−１４５（ポリエステル系ウレタン樹脂粒子）、パーマリンＵＡ−３６８Ｔ（ポリカーボネート系ウレタン樹脂粒子）、パーマリンＵＡ−２００（ポリエーテル系ウレタン樹脂粒子）（以上、三洋化成工業株式会社製）などが挙げられる。これらは、１種を単独で用いても、２種以上を併用してもよい。
【０１３１】
また、樹脂粒子の体積平均粒径としては、特に、液体吐出装置であるインクジェット記録装置１に使用することを考慮すると、１０ｎｍ以上１，０００ｎｍ以下が好ましく、１０ｎｍ以上２００ｎｍ以下がより好ましく、１０ｎｍ以上１００ｎｍ以下が特に好ましい。
【０１３２】
体積平均粒径が１０ｎｍ以上１，０００ｎｍ以下の樹脂粒子を用いることで、インクを循環させる循環手段を有する液体吐出装置であるインクジェット記録装置１に用いた場合に、優れたインク供給性や吐出信頼性を得られると共に、非浸透メディア（記録用メディア４０）など被印刷物上でインクが乾燥する過程で樹脂粒子が有機溶剤に溶解しやすく、樹脂の広がりの効果を得やすいことから高光沢の画像を形成しやすい。
【０１３３】
体積平均粒径は、例えば、粒度分析装置（マイクロトラック  ＭＯＤＥＬ  ＵＰＡ９３４０、日機装株式会社製）を用いて測定することができる。
【０１３４】
インク中に樹脂粒子を含有する場合、樹脂粒子の合計含有量としては、インクの分散安定性の点から、インク全量に対して、１質量％以上１５質量％以下が好ましく、インク層の平滑性がより向上し、高い光沢度を得ることができるとともに、基材への定着性も向上する点から、５質量％以上１２質量％以下、５質量％以上１０質量％以下がより好ましい。
【０１３５】
樹脂粒子の定性及び定量としては、例えば、下記参考文献１に詳述されているような手順で確認することができる。具体的には、以下に示すような測定装置を用いた分析により確認することができる。
［参考文献１］
「プラスチック材料の各動特性の試験法と評価結果（２２）；安田武夫著、プラスチックス：日本プラスチック工業連盟誌／「プラスチックス」編集委員会編」
【０１３６】
＜＜赤外線分光分析（ＩＲ）＞＞
赤外線分光分析（ＩＲ）は、樹脂粒子の持っている各種の官能基の吸収波長を測定し、既知の樹脂粒子のＩＲスペクトルと比較することによる樹脂粒子の定性分析を行うことができる。また、赤外線分光分析（ＩＲ）は、各樹脂粒子の官能基の吸収の吸光度を比較することにより、数種類のモノマーや樹脂粒子の相対量の比較を行うことができる。
【０１３７】
＜＜熱分析（ＤＳ／Ａ、ＴＧ／ＤＴＡ）＞＞
熱分析（ＤＳ／Ａ、ＴＧ／ＤＴＡ）は、示差走査型熱量分析（ＤＳ／Ａ）や示差熱分析（ＤＴＡ）を用いて樹脂粒子の融点、ガラス転移点等を測定することにより、ポリマーを同定することができる。
【０１３８】
＜＜熱分解ガスクロマトグラフィ（ＰｙＧＣ）＞＞
熱分解ガスクロマトグラフィ（ＰｙＧＣ）は、熱分解生成物をガスクロマトグラフィにより分離し、組成分析や構造解析を行うことができる。なお、熱分解ガスクロマトグラフィ（ＰｙＧＣ）は、質量分析計を直結し、熱分解により生成した分解生成物を同定しておくと、より正確な分析を行うことができる。
【０１３９】
＜＜核磁気共鳴法（ＮＭＲ）＞＞
核磁気共鳴法（ＮＭＲ）は、既知の樹脂粒子のスペクトルと比較して、樹脂粒子の同定、及び確認を行うことができる。核磁気共鳴法（ＮＭＲ）は、未知の樹脂粒子の場合、分子構造の推定を行うことができる。さらに、核磁気共鳴法（ＮＭＲ）は、共重合体や複数のポリマーのブレンド物の組成比やブレンド比の定量分析を行うことができる。
【０１４０】
なお、上述したような測定装置を用いて樹脂粒子の分析を行う前に、前処理として遠心分離によりインク中の着色剤成分を沈降させ、樹脂粒子を含んだ上澄みを回収したり、適当な有機溶剤を用いて樹脂粒子を抽出したりしておくことも分析精度を高める手段として有効である。
【０１４１】
また、液体吐出装置であるインクジェット記録装置１による記録後に加熱を行うと、残留溶剤が低減して接着性が向上することができる。特に、樹脂粒子の最低造膜温度（以下、「ＭＦＴ」とも称することがある）が８０℃を超える場合、樹脂の造膜不良をなく、画像堅牢性を向上する点から、加熱をすることが好ましい。
【０１４２】
なお、樹脂エマルションの最低造膜温度を調整する場合、例えば、樹脂のガラス転移点（以下、「Ｔｇ」とも称することがある）をコントロールすることで、樹脂エマルションの最低造膜温度を調整することができる。また、樹脂粒子が共重合体である場合には、共重合体を形成するモノマーの比率を変えることにより、樹脂エマルションの最低造膜温度を調整することができる。なお、最低造膜温度とは、エマルションをアルミニウム等の金属板の上に薄く流延し、温度を上げていったときに透明な連続フィルムが形成される最低温度のことをいう。最低造膜温度とは、最低造膜温度未満の温度領域では、エマルションは白色粉末状となる点をいう。具体的には、最低造膜温度とは、「造膜温度試験装置」（株式会社井元製作所製）、「ＴＰ−８０１  ＭＦＴテスター」（テスター産業株式会社製）などの市販の最低造膜温度測定装置で測定される値のことをいう。
【０１４３】
また、樹脂の粒子径の制御によっても変化するため、これらの制御因子により樹脂の最低造膜温度を狙いの値とすることが可能である。
【０１４４】
＜有機溶剤＞
有機溶剤としては、特に制限はなく、例えば、水溶性有機溶剤などが挙げられる。水溶性有機溶剤としては、例えば、エチレングリコール、ジエチレングリコール、１，２−プロパンジオール、１，３−プロパンジオール、１，２−ブタンジオール、１，３−ブタンジオール、２，３−ブタンジオール、３−メチル−１，３−ブタンジオール、２−メチル−２，４−ペンタンジオール、トリエチレングリコール、ポリエチレングリコール、ポリプロピレングリコール、１，５−ペンタンジオール、１，６−ヘキサンジオール、グリセリン、１，２，６−ヘキサントリオール、２−エチル−１，３−ヘキサンジオール、１，２，４−ブタントリオール、１，２，３−ブタントリオール、ペトリオール等の多価アルコール類；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、ジプロピレングリコールモノメチルエーテル、プロピレングリコールモノエチルエーテル等の多価アルコールアルキルエーテル類；エチレングリコールモノフェニルエーテル、エチレングリコールモノベンジルエーテル等の多価アルコールアリールエーテル類；２−ピロリドン、Ｎ−メチル−２−ピロリドン、Ｎ−ヒドロキシエチル−２−ピロリドン、１，３−ジメチルイミダゾリジノン、ε−カプロラクタム、γ−ブチロラクトン等の含窒素複素環化合物；ホルムアミド、Ｎ−メチルホルムアミド、Ｎ，Ｎ−ジメチルホルムアミド等のアミド類；モノエタノールアミン、ジエタノールアミン、トリエチルアミン等のアミン類；ジメチルスルホキシド、スルホラン、チオジエタノール等の含硫黄化合物；プロピレンカーボネイト；炭酸エチレンなどが挙げられる。これらは、１種を単独で用いても、２種以上を併用してもよい。
【０１４５】
これらの中でも、高光沢性、及び粒子の凝集の防止の点から、１，２−プロパンジオール、１，３−プロパンジオール、１，２−ブタンジオール、１，３−ブタンジオール、２，３−ブタンジオール、２−メチル−２，４−ペンタンジオール、ジプロピレングリコールモノメチルエーテルが好ましい。また、高い耐擦過性、耐溶剤性、及び樹脂の造膜を促進する点から、沸点が２００℃未満である、１，２−プロパンジオール、１，２−ブタンジオールが好ましい。
【０１４６】
有機溶剤の含有量としては、特に制限はなく、インク全量に対して、２０質量％以上７０質量％以下が好ましく、３０質量％以上６０質量％以下がより好ましい。有機溶剤の含有量が、２０質量％以上７０質量％以下であると、乾燥性に優れ、かつ、良好な吐出安定性が得られる。
【０１４７】
＜化合物＞
下記一般式（１）で表される化合物は、インクの乾燥工程において樹脂が造膜するのを促進するため、乾燥性を高めることができる。
【化１】
2017105194.tif 000003
（ただし、前記一般式（１）中、Ｒ１、Ｒ２、及びＲ３は、それぞれ、炭素数１以上５以下のアルキル基を示し、Ｒ１、Ｒ２、及びＲ３は同一であっても、異なっていてもよい）
【０１４８】
炭素数１以上５以下のアルキル基としては、例えば、メチル基、エチル基、プロピル基、イソブロピル基、ブチル基、ペンチル基などが挙げられる。
【０１４９】
一般式（１）で表される化合物としては、例えば、下記構造式（１−１）で表される３−メトキシ−Ｎ，Ｎ−ジメチルプロピオンアミド；下記構造式（１−２）で表される３−ブトキシ−Ｎ，Ｎ−ジメチルプロピオンアミド；３−メトキシ−Ｎ，Ｎ−ジエチルプロピオンアミドなどが挙げられる。これらは、１種を単独で用いても、２種以上を併用してもよい。これらの中でも、密着性、耐擦過性、非転写性、及び高光沢性の点から、下記構造式（１−１）で表される３−メトキシ−Ｎ，Ｎ−ジメチルプロピオンアミドが好ましい。
【０１５０】
【化２】
2017105194.tif 000004
【０１５１】
【化３】
2017105194.tif 000005
【０１５２】
一般式（１）で表される化合物を含有することで、有機溶剤と樹脂粒子との相溶性を高め、分散性を向上させることができる。また、一般式（１）で表される化合物は、各種の非浸透メディア（記録用メディア４０）への浸透性も高いため、非浸透メディア（記録用メディア４０）への十分な濡れ性を確保できる。その結果、更にインクの乾燥性に優れた画像を得ることができる。
【０１５３】
また、一般式（１）で表される化合物としては、樹脂粒子と、ある程度の親和性を持ちつつ比較的沸点の低い、１，２−プロパンジオール、１，３−プロパンジオール、１，２−ブタンジオール、１，３−ブタンジオール、２，３−ブタンジオール等の有機溶剤を併用することで、インク中における樹脂粒子の分散安定性を確保でき、かつ記録後の画像ベタ部の均一性を向上させることができ、優れた画像品位を得ることができる。
【０１５４】
一般式（１）で表される化合物の市販品としては、例えば、商品名「エクアミドＭ−１００」（出光興産株式会社製、３−メトキシ−Ｎ，Ｎ−ジメチルプロピオンアミド、一般式（１）中、Ｒ１：メチル基、Ｒ２：メチル基、Ｒ３：メチル基）、商品名「エクアミドＢ１００」（出光興産株式会社製、３−ブトキシ−Ｎ，Ｎ−ジメチルプロピオンアミド、一般式（１）中、Ｒ１：メチル基、Ｒ２：メチル基、Ｒ３：ブチル基）などが挙げられる。これらは、１種を単独で用いても、２種以上を併用してもよい。
【０１５５】
一般式（１）で表される化合物の合計の含有量としては、インク全量に対して、５質量％以上５５質量％以下が好ましく、１０質量％以上４５質量％以下がより好ましい。化合物の合計の含有量が５質量％以上５５質量％以下であると、均一に混合される効果が高まり、インクジェット印刷方法に用いた場合に良好な吐出性を得ることができる。また、化合物の合計の含有量が５質量％以上５５質量％以下であると、非浸透性基材への濡れ性が優れたインクを製造しやすくなる。
【０１５６】
一般式（１）で表される化合物の少なくともいずれかのインク中の含有量は、ガスクロマトグラフ質量分析（ＧＣＭＳ）法により確認することができる。具体的に、インク全体をＧＣＭＳにかけ、含まれている溶剤の定性分析を行う。溶剤の種類が特定できたら、各溶剤の濃度の検量線を作成し、インク中に含まれる各溶剤の定量をすることができる。
【０１５７】
＜水＞
液体吐出ユニットとしての記録ヘッド２０には、水を含まない溶剤インクを用いることも可能であるが、環境に影響を与えない安全性の高いインクとして、水を含む水性インクを用いることも可能である。水性インクに用いる水としては、特に制限はなく、目的に応じて適宜選択することができ、例えば、イオン交換水、限外濾過水、逆浸透水、蒸留水等の純水；超純水などが挙げられる。これらは、１種単独で使用してもよいし、２種以上を併用してもよい。
【０１５８】
水の含有量としては、インク全量に対して、１５質量％以上６０質量％以下が好ましい。水の含有量が、１５質量％以上であると、高粘度になることを防止し、吐出安定性を向上でき、６０質量％以下であると、非浸透性基材への濡れ性が好適となり、画像品位を向上できる。
【０１５９】
＜その他の成分＞
その他の成分としては、例えば、色材；防腐防黴剤；防錆剤；ｐＨ調整剤；ヒンダードフエノールやヒンダードフエノールアミンのようなゴム及びプラスチックス用無色老化防止剤などが挙げられる。
【０１６０】
＜色材＞
・白インク
白インクの白色度の基準としては、ＩＳＯ−２４６９（ＪＩＳ−８１４８）があり、一般的にはその値が７０以上の場合、白色の色材として用いられる。白インクに用いる色材としては、酸化チタン、酸化鉄、酸化スズ、酸化ジルコニウム、チタン酸鉄（鉄とチタンの複合酸化物）等を挙げることができる。
【０１６１】
・プロセスカラーインク、特色インク
プロセスカラーインク、特色インクとしては、カラーインク、黒色インク、灰色インク、クリアインク、メタリックインクなど、非白色インクを用いることができる。なお、クリアインクとは、着色剤を含まず、主に樹脂粒子、有機溶剤及び水からなるインクを意味する。カラーインクとしては、例えば、シアンインク、マゼンタインク、イエローインク、ライトシアンインク、ライトマゼンタインク、レッドインク、グリーンインク、ブルーインク、オレンジインク、バイオレットインクなどが挙げられる。
【０１６２】
非白色インクに用いられる色材としては、非白色を呈するものであれば特に制限はなく、目的に応じて適宜選択することができ、染料、顔料などが挙げられる。これらは、１種単独で用いても、２種以上を併用してもよい。これらの中でも、顔料が好ましい。非白色インクに用いられる色材としては、特に制限はなく、目的に応じて適宜選択することができ、顔料、染料などが挙げられる。これらの中でも、顔料が好ましい。
【０１６３】
顔料としては、例えば、無機顔料、有機顔料などが挙げられる。無機顔料としては、例えば、酸化チタン、酸化鉄、炭酸カルシウム、硫酸バリウム、水酸化アルミニウム、バリウムイエロー、カドミウムレッド、クロムイエローに加え、コンタクト法、ファーネス法、サーマル法などの公知の方法によって製造されたカーボンブラックなどが挙げられる。これらは、１種単独で使用してもよいし、２種以上を併用してもよい。
【０１６４】
有機顔料としては、例えば、アゾ顔料（例えば、アゾレーキ、不溶性アゾ顔料、縮合アゾ顔料、キレートアゾ顔料等を含む）、多環式顔料（例えば、フタロシアニン顔料、ぺリレン顔料、ぺリノン顔料、アントラキノン顔料、キナクリドン顔料、ジオキサジン顔料、インジゴ顔料、チオインジゴ顔料、イソインドリノン顔料、キノフタロン顔料等）、染料キレート（例えば、塩基性染料型キレート、酸性染料型キレート等）、ニトロ顔料、ニトロソ顔料、アニリンブラックなどが挙げられる。これらは、１種単独で使用してもよいし、２種以上を併用してもよい。その他、中空樹脂粒子、無機中空粒子の使用も可能である。これらの顔料のうち、溶媒と親和性の良いものが好ましく用いられる。
【０１６５】
黒色用の顔料としては、例えば、ファーネスブラック、ランプブラック、アセチレンブラック、チャンネルブラック等のカーボンブラック（Ｃ．Ｉ．ピグメントブラック７）類、銅、鉄（Ｃ．Ｉ．ピグメントブラック１１）、等の金属類、アニリンブラック（Ｃ．Ｉ．ピグメントブラック１）等の有機顔料などが挙げられる。これらは、１種単独で使用してもよいし、２種以上を併用してもよい。
【０１６６】
また、カラー用の顔料としては、例えば、Ｃ．Ｉ．ピグメントイエロー１、３、１２、１３、１４、１７、２４、３４、３５、３７、４２（黄色酸化鉄）、５３、５５、７４、８１、８３、９５、９７、９８、１００、１０１、１０４、１０８、１０９、１１０、１１７、１２０、１３８、１５０、１５３、１５５；Ｃ．Ｉ．ピグメントオレンジ５、１３、１６、１７、３６、４３、５１；Ｃ．Ｉ．ピグメントレッド１、２、３、５、１７、２２、２３、３１、３８、４８：２、４８：２（パーマネントレッド２Ｂ（Ｃａ））、４８：３、４８：４、４９：１、５２：２、５３：１、５７：１（ブリリアントカーミン６Ｂ）、６０：１、６３：１、６３：２、６４：１、８１、８３、８８、１０１（べんがら）、１０４、１０５、１０６、１０８（カドミウムレッド）、１１２、１１４、１２２（キナクリドンマゼンタ）、１２３、１４６、１４９、１６６、１６８、１７０、１７２、１７７、１７８、１７９、１８５、１９０、１９３、２０９、２１９；Ｃ．Ｉ．ピグメントバイオレット１（ローダミンレーキ）、３、５：１、１６、１９、２３、３８、Ｃ．Ｉ．ピグメントブルー１、２、１５（フタロシアニンブルー）、１５：１、１５：２、１５：３（フタロシアニンブルー）、１６、１７：１、５６、６０、６３；Ｃ．Ｉ．ピグメントグリーン１、４、７、８、１０、１７、１８、３６などが挙げられる。これらは、１種単独で使用してもよいし、２種以上を併用してもよい。
【０１６７】
染料としては、例えば、Ｃ．Ｉ．アシッドイエロー１７、２３、４２、４４、７９、１４２；Ｃ．Ｉ．アシッドレッド５２、８０、８２、２４９、２５４、２８９；Ｃ．Ｉ．アシッドブルー９、４５、２４９；Ｃ．Ｉ．アシッドブラック１、２、２４、９４；Ｃ．Ｉ．フードブラック１、２；Ｃ．Ｉ．ダイレクトイエロー１、１２、２４、３３、５０、５５、５８、８６、１３２、１４２、１４４、１７３；Ｃ．Ｉ．ダイレクトレッド１、４、９、８０、８１、２２５、２２７；Ｃ．Ｉ．ダイレクトブルー１、２、１５、７１、８６、８７、９８、１６５、１９９、２０２；Ｃ．Ｉ．ダイレクドブラック１９、３８、５１、７１、１５４、１６８、１７１、１９５；Ｃ．Ｉ．リアクティブレッド１４、３２、５５、７９、２４９；Ｃ．Ｉ．リアクティブブラック３、４、３５などが挙げられる。これらは、１種単独で使用してもよいし、２種以上を併用してもよい。
【０１６８】
メタリックインクに用いる色材としては、例えば、金属単体、合金、又は金属化合物を微粉砕してなる微粉末である。より具体的には、メタリックインクに用いる色材としては、アルミニウム、銀、金、ニッケル、クロム、スズ、亜鉛、インジウム、チタン、シリコーン、銅、又はプラチナよりなる一群の金属単体の何れか１種類若しくは複数よりなるものであって、又はこれらの一群の金属を組み合わせて得られる合金であって良く、又はこれらの一群の金属単体若しくは合金の酸化物、窒化物、硫化物、又は炭化物の何れか１種類若しくは複数、を微粉砕して得られるものである。
【０１６９】
その他、顔料（例えば、カーボンブラック）の表面にスルホン基やカルボキシル基等の官能基を付加し水中に分散可能とした自己分散顔料などが使用できる。また、顔料をマイクロカプセルに包含させ、顔料を水中に分散可能なもの、すなわち、顔料粒子を含有させた樹脂微粒子であってもよい。この場合、インクに含有される顔料としては、すべて樹脂微粒子に封入又は吸着されている必要はなく、顔料がインク中に分散していてもよい。
【０１７０】
顔料の数平均粒径としては、特に制限はなく、最大個数換算で最大頻度が２０ｎｍ以上１５０ｎｍ以下が好ましい。数平均粒径が、２０ｎｍ以上であると、分散操作、分級操作が容易になり、１５０ｎｍ以下であると、インク組成物としての顔料分散安定性が良くなるばかりでなく、吐出安定性にも優れ、画像濃度などの画像品質も高くなり好ましい。数平均粒径は、例えば、粒度分析装置（マイクロトラック  ＭＯＤＥＬ  ＵＰＡ９３４０、日機装株式会社製）を用いて測定することができる。
【０１７１】
分散剤を用いて顔料を分散する場合には、従来公知のものであればいずれも使用することができ、例えば、高分子分散剤、水溶性界面活性剤などが挙げられる。これらは、１種を単独で用いても、２種以上を併用してもよい。
【０１７２】
＜防腐防黴剤＞
防腐防黴剤としては、特に制限はなく、例えば、１，２−ベンズイソチアゾリン−３−オンなどが挙げられる。
【０１７３】
＜防錆剤＞
防錆剤としては、１，２，３−ベンゾトリアゾールなどが挙げられる。
【０１７４】
＜ｐＨ調整剤＞
ｐＨ調整剤としては、ｐＨを７以上に調整することが可能であれば、特に制限はなく、ジエタノールアミン、トリエタノールアミン等のアミンなどが挙げられる。
【０１７５】
＜インクの製造方法＞
インクの製造方法としては、例えば、水、有機溶剤、一般式（１）で表される化合物、樹脂粒子、及び必要に応じて、その他の成分を水性媒体中に分散又は溶解し、適宜撹拌混合して製造することができる。撹拌混合としては、例えば、サンドミル、ホモジナイザー、ボールミル、ペイントシェイカー、超音波分散機、通常の撹拌羽を用いた撹拌機、マグネチックスターラー、高速の分散機などを用いることができる。
【０１７６】
＜粘度＞
インクの粘度としては、印刷媒体に記録した場合の文字品位等の画像品質の点から、２５℃で、２ｍＰａ・ｓ以上が好ましく、３ｍＰａ・ｓ以上２０ｍＰａ・ｓ以下がより好ましい。前記粘度が、２ｍＰａ・ｓ以上であると、吐出安定性を向上できる。
【０１７７】
＜インクカートリッジ＞
インクカートリッジは、プロセスカラーインク、特色インク、補助用インクを容器中に収容するインクカートリッジを含む。インクカートリッジとしては、インクを容器中に収容してなり、更に必要に応じて適宜選択したその他の部材などを有してなる。
【０１７８】
容器としては、特に制限はなく、目的に応じて、その形状、構造、大きさ、材質等を適宜選択することができ、例えば、アルミニウムラミネートフィルム、樹脂フィルム等で形成されたインク袋などを少なくとも有するものなどが挙げられる。
【０１７９】
＜記録物＞
記録物は、記録媒体上に、インクにより記録された画像を有する。
【０１８０】
＜記録媒体＞
記録媒体としては特に制限はなく、普通紙、光沢紙、特殊紙、布などを用いることもできるが、上述したように非浸透メディア（記録用メディア４０）を用いても良好な画像形成が可能である。非浸透メディア（記録用メディア４０）とは、水透過性、吸収性が低い表面を有する基材であり、内部に多数の空洞があっても外部に開口していない材質も含まれ、より定量的には、ブリストー（Ｂｒｉｓｔｏｗ）法において接触開始から３０ｍｓｅｃ１／２までの水吸収量が１０ｍＬ／ｍ２以下である基材をいう。
【０１８１】
非浸透メディア（記録用メディア４０）としては、例えば、塩化ビニル樹脂フィルム、ポリエチレンテレフタレート（ＰＥＴ）フィルム、ポリプロピレン、ポリエチレン、ポリカーボネートフィルムなどのプラスチックフィルムを、好適に使用することができる。
【０１８２】
なお、記録媒体としては、一般的な記録媒体として用いられるものに限られず、壁紙、床材、タイル等の建材、Ｔシャツなど衣料用等の布、テキスタイル、皮革等を適宜使用することができる。また、記録媒体を搬送する経路の構成を調整することにより、セラミックスやガラス、金属などを使用することもできる。
【実施例】
【０１８３】
＜インクの実施例＞
以下、実施例を示して本発明を更に具体的に説明するが、本発明はこれらの実施例により限定されるものではない。なお、例中の「部」は「質量部」であり、「％」は、「質量％」である。
【０１８４】
＜＜ポリカーボネート系ウレタン樹脂エマルションの調製＞＞
攪拌機、還流冷却管及び温度計を挿入した反応容器に、ポリカーボネートジオール（１，６−ヘキサンジオールとジメチルカーボネートの反応生成物（数平均分子量（Ｍｎ）：１２００）１，５００ｇ、２，２−ジメチロールプロピオン酸（以下、「ＤＭＰＡ」とも称することがある）２２０ｇ、及びＮ−メチルピロリドン（以下、「ＮＭＰ」とも称することがある）１，３４７ｇを窒素気流下で仕込み、６０℃に加熱してＤＭＰＡを溶解させた。
【０１８５】
次いで、４，４’−ジシクロヘキシルメタンジイソシアネート１，４４５ｇ、ジブチルスズジラウリレート（触媒）２．６ｇを加えて９０℃まで加熱し、５時間かけてウレタン化反応を行い、イソシアネート末端ウレタンプレポリマーを得た。この反応混合物を８０℃まで冷却し、これにトリエチルアミン１４９ｇを添加・混合したものの中から４，３４０ｇを抜き出して、強攪拌下、水５，４００ｇ及びトリエチルアミン１５ｇの混合溶液の中に加えた。次いで、氷１，５００ｇを投入し、３５％の２−メチル−１，５−ペンタンジアミン水溶液６２６ｇを加えて鎖延長反応を行い、固形分濃度が３０％となるように溶媒を留去し、ポリカーボネート系ウレタン樹脂エマルションを得た。
【０１８６】
ポリカーボネート系ウレタン樹脂エマルションを用いて、「造膜温度試験装置」（株式会社井元製作所製）で測定した最低造膜温度は５５℃であった。
【０１８７】
＜＜ポリエーテル系ウレタン樹脂エマルションの調製＞＞
温度計、窒素ガス導入管、攪拌器を備えた窒素置換された容器中で、ポリエーテルポリオール（「ＰＴＭＧ１０００」三菱化学株式会社製、平均分子量：１，０００）１００．２部、２，２―ジメチロールプロピオン酸１５．７部、イソホロンジイソシアネート４８．０部、有機溶剤としてメチルエチルケトン７７．１部を、触媒としてジブチルスズジレウレート（以下、「ＤＭＴＤＬ」とも称することがある）０．０６部を使用し反応させた。
【０１８８】
前記反応を４時間継続した後、希釈溶剤としてメチルエチルケトン３０．７部を供給し、更に反応を継続した。
【０１８９】
前記反応物の平均分子量が２０，０００以上６０，０００以下の範囲に達した時点で、メタノール１．４部を投入し前記反応を終了することによって、ウレタン樹脂の有機溶剤溶液を得た。
【０１９０】
ウレタン樹脂の有機溶剤溶液に４８％水酸化カリウム水溶液を１３．４部加えることでウレタン樹脂が有するカルボキシル基を中和し、次いで、水７１５．３部を加え十分に攪拌した後、エージング及び脱溶剤することによって、固形分３０質量％のポリエーテル系ウレタン樹脂エマルションを得た。
【０１９１】
ポリエーテル系ウレタン樹脂エマルションについて、ポリカーボネート系ウレタン樹脂エマルションの調製と同様にして「造膜温度試験装置」（株式会社井元製作所製）で測定した最低造膜温度は４３℃であった。
【０１９２】
＜＜ポリエステル系ウレタン樹脂エマルションの調製＞＞
ポリエーテルポリオール（「ＰＴＭＧ１０００」三菱化学株式会社製、平均分子量：１，０００）を、ポリエステルポリオール（「ポリライトＯＤ−Ｘ−２２５１」ＤＩＣ株式会社製、平均分子量：２，０００）に変更した以外は、前記ポリエーテル系ウレタン樹脂エマルションの調製例２と同様にして、固形分３０質量％のポリエステル系ウレタン樹脂エマルションを得た。
【０１９３】
ポリエステル系ウレタン樹脂エマルションについて、ポリカーボネート系ウレタン樹脂エマルションの調製と同様にして「造膜温度試験装置」（株式会社井元製作所製）で測定した最低造膜温度は７４℃であった。
【０１９４】
＜＜アクリル樹脂エマルションの調製＞＞
撹拌機、還流コンデンサー、滴下装置、及び温度計を備えた反応容器に、イオン交換水９００ｇ、及びラウリル硫酸ナトリウム１ｇを仕込み、撹拌下に窒素置換しながら７０℃まで昇温した。内温を７０℃に保ち、重合開始剤として過硫酸カリウム４ｇを添加し、溶解後、予めイオン交換水４５０ｇ、ラウリル硫酸ナトリウム３ｇにアクリルアミド２０ｇにスチレン６１５ｇ、ブチルアクリレート３０ｇ、及びメタクリル酸３５０ｇを撹拌化に加えて作製した乳化物を、反応溶液内に連続的に４時間かけて滴下した。滴下終了後、３時間の間反応させ、水性エマルションを得た。
【０１９５】
得られた水性エマルションを常温まで冷却した後、イオン交換水及び水酸化ナトリウム水溶液を添加して固形分濃度３０質量％、ｐＨ８のアクリル樹脂エマルションを得た。
【０１９６】
アクリル樹脂エマルションについて、ポリカーボネート系ウレタン樹脂エマルションの調製と同様にして、「造膜温度試験装置」（株式会社井元製作所製）で測定した最低造膜温度は５３℃であった。
【０１９７】
＜顔料分散液の調製＞
＜＜ブラック顔料分散液の調製＞＞
以下の処方混合物をプレミックスした後、ディスクタイプのビーズミル（シンマルエンタープライゼス社ＫＤＬ型、メディア：直径０．３ｍｍジルコニアボール使用）で７時間循環分散してブラック顔料分散液を得た。
カーボンブラック顔料（商品名：Ｍｏｎａｒｃｈ８００、キャボット社製）・１５部
アニオン性界面活性剤（パイオニンＡ−５１−Ｂ、竹本油脂株式会社製）・・・２部
イオン交換水・・・・・・・・・・・・・・・・・・・・・・・・・・・・・８３部
【０１９８】
＜＜シアン顔料分散液の調製＞＞
カーボンブラック顔料を、ピグメントブルー１５：３（商品名：ＬＩＯＮＯＬ ＢＬＵＥ ＦＧ−７３５１、東洋インキ株式会社製）に変更した以外は、ブラック顔料分散液の調製と同様にして、シアン顔料分散液を得た。
【０１９９】
＜＜マゼンタ顔料分散液の調製＞＞
カーボンブラック顔料を、ピグメントレッド１２２（商品名：トナーマゼンタＥＯ０２、クラリアントジャパン株式会社製）に変更した以外は、ブラック顔料分散液の調製と同様にして、マゼンタ顔料分散液を得た。
【０２００】
＜＜イエロー顔料分散液の調製＞＞
カーボンブラック顔料を、ピグメントイエロー７４（商品名：ファーストイエロー５３１、大日精化工業株式会社製）に変更した以外は、ブラック顔料分散液の調製と同様にして、イエロー顔料分散液を得た。
【０２０１】
＜＜ホワイト顔料分散液の調製＞＞
酸化チタン（商品名：ＳＴＲ−１００Ｗ、堺化学工業株式会社製）２５部、顔料分散剤（商品名：ＴＥＧＯ  Ｄｉｓｐｅｒｓ６５１、エボニック社製）５部、水７０部を混合し、ビーズミル（商品名：リサーチラボ、株式会社シンマルエンタープライゼス製）にて、０．３ｍｍΦのジルコニアビーズを充填率６０％、８ｍ／ｓにて５分間分散し、白色顔料分散液を得た。
【０２０２】
＜ブラックインク１の調製＞
ブラック顔料分散液２０質量％、ポリカーボネート系ウレタン樹脂エマルション（固形分濃度３０質量％）を樹脂固形分換算で１０質量％、１，２−プロパンジオール１２質量％、１，２−ブタンジオール５質量％、３−メトキシ−Ｎ，Ｎ−ジメチルプロピオンアミド（商品名：エクアミドＭ−１００、出光興産株式会社製）１７質量％、シロキサン化合物（商品名：ＦＺ２１１０、東レ・ダウ(株)社製、ＨＬＢ＝１．０）１％、防腐剤として商品名：プロキセルＬＶ（アビシア株式会社製）０．１質量％、及び高純水１２質量％を混合攪拌し、０．２μｍポリプロピレンフィルターにて濾過することによりブラックインク１を作製した。
【０２０３】
＜インク２〜６の調製＞
インク２〜６について、下記に示す表１に記載のインクの組成、及びに含有量に変更した以外は、ブラックインク１と同様にして、インク２〜６を作製した。表１にインク１〜６の組成及び含有量を示す。
【０２０４】
【表１】
2017105194.tif 000006
【０２０５】
液体吐出ユニットとしての記録ヘッド２０及び液体吐出装置としてのインクジェット記録装置１を用いて、白インクによる下地及び背景形成後にカラーインクによる画像形成を行う白先刷り、カラーインクによる画像形成後に白インクによる白インク層を設けて背景形成を行う白後刷りなどを実施した。評価結果は、下記に示す表２の通りである。なお、記録用メディア４０としては、ＰＶＣ（Polyvinyl  chloride：ポリ塩化ビニル）を用いた。表２に示す実施例１〜９では、カラーインクとして上記インク１〜５を使用し、白インクとして上記インク６を用いた。表２に示す実施例１０では、インクとして市販のＲＩＣＯＨ  Ｐｒｏインクを使用した。
【０２０６】
【表２】
2017105194.tif 000007
【０２０７】
表２の評価結果に示すように、５０ｍ２／ｈの生産性において、全てのマス境界において図１０に示すようなブリーディング（にじみ）の無い高品位の画像を得ることができた（評価結果において、◎で示す）。また、４５ｍ２／ｈの生産性において、全てのマス境界において図１０に示すようなブリーディング（にじみ）の無い高品位の画像を得ることができた（評価結果において、○で示す）。さらに、４０ｍ２／ｈの生産性において、全てのマス境界において図１０に示すようなブリーディング（にじみ）の無い高品位の画像を得ることができた（評価結果において、△で示す）。
【符号の説明】
【０２０８】
１        液体吐出装置
２        画像形成部
３，８０    乾燥装置
４        メディア収納部
５        搬送機構
１０      制御部
２０      液体吐出ユニット
２０ａ    第１ノズル群
２０ｂ    第２ノズル群
２０ｃ    第３ノズル群
【先行技術文献】
【特許文献】
【０２０９】
【特許文献１】特開２００６−１６７９３４号公報
【図１】
2017105194.tif 000010
【図２】
2017105194.tif 000011
【図３】
2017105194.tif 000012
【図４】
2017105194.tif 000013
【図５】
2017105194.tif 000014
【図６】
2017105194.tif 000015
【図７】
2017105194.tif 000016
【図８】
2017105194.tif 000017
【図９】
2017105194.tif 000018
【図１０】
2017105194.tif 000019
【図１１】
2017105194.tif 000020
【図１２】
2017105194.tif 000021
【図１３】
2017105194.tif 000022